(57)【要約】【課題】コストの低減を図ることのできる小型の電流フィードバック型ＡＭＯＬＥＤ駆動回路を提供する。【解決手段】ＡＭＯＬＥＤ駆動回路は、駆動ＩＣ（100）と第１及び第２カラム（100a，100b）とを含む。各カラムは、複数のピクセル回路と一つのデータラインとを含み、各ピクセル回路は、対応するデータラインに接続されたデータ端子とピクセル電流を駆動ＩＣに伝達するセンス端子とを有する。第１カラムの各ピクセル回路のセンス端子が第２カラムのデータラインに接続され、第２カラムの各ピクセル回路のセンス端子が第１カラムのデータラインに接続される。第１及び第２カラムは時分割でプログラムされ、第１カラムの駆動時には第２カラムのデータラインが第１カラムのフィードバックラインに使用され、第２カラムの駆動時には第１カラムのデータラインが第２カラムの電流フィードバックラインに使用される。【選択図】図２
2007156478.tif 000002
【特許請求の範囲】
【請求項１】
電流フィードバック型ＡＭＯＬＥＤ駆動回路であって、
駆動ＩＣと、
前記駆動ＩＣに接続された第１及び第２カラムであって、該第１及び第２カラムの各々は、複数のピクセル回路と一つのデータラインとを含み、該複数のピクセル回路の各々は、対応するデータラインを通じてピクセル電流命令を受け取るデータ端子とピクセル電流を前記駆動ＩＣに伝達するセンス端子とを有し、前記第１カラムの各ピクセル回路のセンス端子が前記第２カラムのデータラインに接続され、前記第２カラムの各ピクセル回路のセンス端子が前記第１カラムのデータラインに接続される、第１及び第２カラムと、
を備え、
前記第１カラムと前記第２カラムとは時分割でプログラムされ、前記第１カラムを駆動する時には前記第２カラムのデータラインを前記第１カラムの電流フィードバックラインとして使用し、前記第２カラムを駆動する時には前記第１カラムのデータラインを前記第２カラムの電流フィードバックラインとして使用することを特徴とする電流フィードバック型ＡＭＯＬＥＤ駆動回路。
【請求項２】
前記第１及び第２カラムは、互いに隣接したカラムであることを特徴とする請求項１に記載の電流フィードバック型ＡＭＯＬＥＤ駆動回路。
【請求項３】
前記第１及び第２カラムは、互いに同一色相を具現するカラムであることを特徴とする請求項１に記載の電流フィードバック型ＡＭＯＬＥＤ駆動回路。
【請求項４】
前記各ピクセル回路は、
カソードがアースに接続されたＯＬＥＤと、
該ＯＬＥＤのアノードにソースが接続された駆動トランジスタと、
該駆動トランジスタのゲートにソースが接続され、前記データ端子にドレインが接続され、ゲートに印加された電流プログラム制御信号によってスイッチングされる第１スイッチング用トランジスタと、
前記駆動トランジスタのドレインにソースが接続され、前記センス端子にドレインが接続され、ゲートに印加された前記電流プログラム制御信号によってスイッチングされる第２スイッチング用トランジスタと、
前記駆動トランジスタのドレイン及び前記第２スイッチング用トランジスタのソースにソースが接続され、電源端子にドレインが接続され、ゲートに印加された発光制御信号によってスイッチングされる第３スイッチング用トランジスタであって、プログラムされた電流量が継続して流れるようにスイッチングされる第３スイッチング用トランジスタと、
前記駆動トランジスタのゲートと前記ＯＬＥＤのカソードとの間に並列に接続された保持キャパシタと、
を含むことを特徴とする請求項１乃至３の何れか一項に記載の電流フィードバック型ＡＭＯＬＥＤ駆動回路。
【請求項５】
前記各ピクセル回路は、
ＯＬＥＤと、
該ＯＬＥＤのカソードにドレインが接続され、アースにソースが接続された駆動トランジスタと、
該駆動トランジスタのゲートにソースが接続され、前記データ端子にドレインが接続され、ゲートに印加された電流プログラム制御信号によってスイッチングされる第１スイッチング用トランジスタと、
前記ＯＬＥＤのアノードにソースが接続され、前記センス端子にドレインが接続され、ゲートに印加された前記電流プログラム制御信号によってスイッチングされる第２スイッチング用トランジスタと、
前記ＯＬＥＤのアノード及び前記第２スイッチング用トランジスタのソースにソースが接続され、電源端子にドレインが接続され、ゲートに印加された発光制御信号によってスイッチングされる第３スイッチング用トランジスタであって、プログラムされた電流量が継続して流れるようにスイッチングされる第３スイッチング用トランジスタと、
前記駆動トランジスタのゲート及びソース間に並列に接続された保持キャパシタと、
を含むことを特徴とする請求項１乃至３の何れか一項に記載の電流フィードバック型ＡＭＯＬＥＤ駆動回路。
【請求項６】
前記各ピクセル回路は、
アノードが電源端子に接続されたＯＬＥＤと、
ソースがアースに接続された駆動トランジスタと、
該駆動トランジスタのゲートにソースが接続され、前記データ端子にドレインが接続され、ゲートに印加された電流プログラム制御信号によってスイッチングされる第１スイッチング用トランジスタと、
前記駆動トランジスタのドレインにソースが接続され、前記センス端子にドレインが接続され、ゲートに印加された前記電流プログラム制御信号によってスイッチングされる第２スイッチング用トランジスタと、
前記駆動トランジスタのドレイン及び前記第２スイッチング用トランジスタのソースにソースが接続され、前記ＯＬＥＤのカソードにドレインが接続され、ゲートに印加された発光制御信号によってスイッチングされる第３スイッチング用トランジスタであって、プログラムされた電流量が継続して流れるようにスイッチングされる第３スイッチング用トランジスタと、
前記駆動トランジスタのゲート及びソース間に並列に接続された保持キャパシタと、
を含むことを特徴とする請求項１乃至３の何れか一項に記載の電流フィードバック型ＡＭＯＬＥＤ駆動回路。
【請求項７】
前記各ピクセル回路は、
ＯＬＥＤと、
ソースがアースに接続された駆動トランジスタと、
該駆動トランジスタのゲートにソースが接続され、前記データ端子にドレインが接続され、ゲートに印加された電流プログラム制御信号によってスイッチングされる第１スイッチング用トランジスタと、
前記駆動トランジスタのドレイン及び前記ＯＬＥＤのカソードにソースが接続され、前記センス端子にドレインが接続され、ゲートに印加された前記電流プログラム制御信号によってスイッチングされる第２スイッチング用トランジスタと、
前記ＯＬＥＤのアノードにソースが接続され、電源端子にドレインが接続され、ゲートに印加された発光制御信号によってスイッチングされる第３スイッチング用トランジスタであって、プログラムされた電流量が継続して流れるようにスイッチングされる第３スイッチング用トランジスタと、
前記駆動トランジスタのゲート及びソース間に並列に接続された保持キャパシタと、
を含むことを特徴とする請求項１乃至３の何れか一項に記載の電流フィードバック型ＡＭＯＬＥＤ駆動回路。
【請求項８】
前記各ピクセル回路は、
カソードがアースに接続されたＯＬＥＤと、
該ＯＬＥＤのアノードにソースが接続された駆動トランジスタと、
該駆動トランジスタのゲートにソースが接続され、前記データ端子にドレインが接続され、ゲートに印加された電流プログラム制御信号によってスイッチングされる第１スイッチング用トランジスタと、
前記駆動トランジスタのドレインにソースが接続され、前記センス端子にドレインが接続され、ゲートに印加された前記電流プログラム制御信号によってスイッチングされる第２スイッチング用トランジスタと、
前記駆動トランジスタのドレイン及び前記第２スイッチング用トランジスタのソースにドレインが接続され、電源端子にソースが接続され、ゲートに印加された前記電流プログラム制御信号によってスイッチングされる第３スイッチング用トランジスタと、
前記駆動トランジスタのゲート及び前記ＯＬＥＤのカソード間に並列に接続された保持キャパシタと、
を含むことを特徴とする請求項１乃至３の何れか一項に記載の電流フィードバック型ＡＭＯＬＥＤ駆動回路。
【請求項９】
前記各ピクセル回路は、
ＯＬＥＤと、
該ＯＬＥＤのカソードにドレインが接続され、アースにソースが接続された駆動トランジスタと、
該駆動トランジスタのゲートにソースが接続され、前記データ端子にドレインが接続され、ゲートに印加された電流プログラム制御信号によってスイッチングされる第１スイッチング用トランジスタと、
前記ＯＬＥＤのアノードにソースが接続され、前記センス端子にドレインが接続され、ゲートに印加された前記電流プログラム制御信号によってスイッチングされる第２スイッチング用トランジスタと、
前記ＯＬＥＤのアノード及び前記第２スイッチング用トランジスタのソースにドレインが接続され、電源端子にソースが接続され、ゲートに印加された前記電流プログラム制御信号によってスイッチングされる第３スイッチング用トランジスタと、
前記駆動トランジスタのゲート及びソース間に並列に接続された保持キャパシタと、
を含むことを特徴とする請求項１乃至３の何れか一項に記載の電流フィードバック型ＡＭＯＬＥＤ駆動回路。
【請求項１０】
前記各ピクセル回路は、
アノードが電源端子に接続されたＯＬＥＤと、
ソースがアースに接続された駆動トランジスタと、
該駆動トランジスタのゲートにソースが接続され、前記データ端子にドレインが接続され、ゲートに印加された電流プログラム制御信号によってスイッチングされる第１スイッチング用トランジスタと、
前記駆動トランジスタのドレインにソースが接続され、前記センス端子にドレインが接続され、ゲートに印加された前記電流プログラム制御信号によってスイッチングされる第２スイッチング用トランジスタと、
前記駆動トランジスタのドレイン及び前記第２スイッチング用トランジスタのソースにドレインが接続され、前記ＯＬＥＤのカソードにソースが接続され、ゲートに印加された前記電流プログラム制御信号によってスイッチングされる第３スイッチング用トランジスタと、
前記駆動トランジスタのゲート及びソース間に並列に接続された保持キャパシタと、
を含むことを特徴とする請求項１乃至３の何れか一項に記載の電流フィードバック型ＡＭＯＬＥＤ駆動回路。
【請求項１１】
前記各ピクセル回路は、
ＯＬＥＤと、
ソースがアースに接続された駆動トランジスタと、
該駆動トランジスタのゲートにソースが接続され、前記データ端子にドレインが接続され、ゲートに印加された電流プログラム制御信号によってスイッチングされる第１スイッチング用トランジスタと、
前記駆動トランジスタのドレイン及び前記ＯＬＥＤのカソードにソースが接続され、前記センス端子にドレインが接続され、ゲートに印加された前記電流プログラム制御信号によってスイッチングされる第２スイッチング用トランジスタと、
前記ＯＬＥＤのアノードにドレインが接続され、電源端子にソースが接続され、ゲートに印加された前記電流プログラム制御信号によってスイッチングされる第３スイッチング用トランジスタと、
前記駆動トランジスタのゲート及びソース間に並列に接続された保持キャパシタと、
を含むことを特徴とする請求項１乃至３の何れか一項に記載の電流フィードバック型ＡＭＯＬＥＤ駆動回路。
【請求項１２】
前記各ピクセル回路は、
アノードが電源端子に接続されたＯＬＥＤと、
ソースがアースに接続され、ドレインが前記ＯＬＥＤのカソードに接続された駆動トランジスタと、
該駆動トランジスタのゲートにソースが接続され、前記データ端子にドレインが接続され、ゲートに印加された電流プログラム制御信号によってスイッチングされる第１スイッチング用トランジスタと、
前記駆動トランジスタのドレイン及び前記ＯＬＥＤのカソードにソースが接続され、前記センス端子にドレインが接続され、ゲートに印加された前記電流プログラム制御信号によってスイッチングされる第２スイッチング用トランジスタと、
前記駆動トランジスタのゲート及びソース間に並列に接続された保持キャパシタと、
を含むことを特徴とする請求項１乃至３の何れか一項に記載の電流フィードバック型ＡＭＯＬＥＤ駆動回路。
【請求項１３】
前記駆動ＩＣと前記第１及び第２カラムの各々のデータラインとの間にスイッチング部をさらに具備し、
前記スイッチング部は、プログラムされるカラムのデータラインが前記駆動ＩＣのデータ端子に接続され、前記電流フィードバックラインに使用されるデータラインが前記駆動ＩＣのセンス端子に接続されるように、前記第１及び第２カラムの各々のデータラインと前記駆動ＩＣとを接続することを特徴とする請求項１乃至１２の何れか一項に記載の電流フィードバック型ＡＭＯＬＥＤ駆動回路。
【発明の詳細な説明】
【技術分野】
【０００１】
本発明は、有機発光ダイオード（ＯＬＥＤ：Ｏｒｇａｎｉｃ  Ｌｉｇｈｔ  Ｅｍｉｔｔｉｎｇ  Ｄｉｏｄｅ）を利用した平板表示装置に関するもので、特に電流フィードバック型ＡＭＯＬＥＤ駆動回路に関するものである。
【背景技術】
【０００２】
有機発光ダイオード（以下、ＯＬＥＤと称する）は、ＬＣＤ（液晶ディスプレイ）、ＰＤＰ（プラズマパネルディスプレイ）と共に非常に有望なディスプレイ素子の一つに数えられ、その中でも特に、最も薄く、軽く、色の再現性が非常に良いなどの長所を有している。また、ＯＬＥＤは、電圧で明るさ調節をするＬＣＤとは異なり、電流でその明るさを調節する特性を有している。
【０００３】
最近になって、より大きく、より多色を再現でき、より速い応答速度を有する平板ディスプレイが求められるようになり、従来の受動マトリックス形態の平板ディスプレイから能動マトリックス形態の平板ディスプレイへの転換が進められている。
【０００４】
能動マトリックス形態のＯＬＥＤディスプレイは、多数のＯＬＥＤ素子を２次元的に分布させて、それぞれのＯＬＥＤをガラス基板の上に集積されたＴＦＴ（Ｔｈｉｎ−Ｆｉｌｍ  Ｔｒａｎｓｉｓｔｏｒ）に順次に電流を供給して制御する。
【０００５】
従来の能動マトリックス形態のＯＬＥＤディスプレイでは、各ピクセル別に入力されたデジタルグラフィックデータをデジタルアナログ変換を経てアナログ電圧に変換した後、ＯＬＥＤと直列に接続された駆動ＴＦＴのゲートソース間に電圧を印加して、この電圧を保持キャパシタを通じて維持する方法を採択してきた。
【０００６】
このような方式では、アモルファスシリコンまたはポリシリコン基板の工程で作られるＴＦＴの不均一性によって、ＯＬＥＤの電流、さらには明るさの制御を均一にすることが非常に難しいという問題がある。
【０００７】
このような電圧駆動方式の問題点を解決するために、電流源または電流ミラーを利用したピクセル構造が提案されている。
このような電流駆動方式のピクセルでは、電流に比例した明るさを示すＯＬＥＤの基本的な特性に符合するだけでなく、電流を入力にするので駆動ＴＦＴの不均一性にもかかわらず均一な明るさの調節が可能であるという長所を有している。
【０００８】
しかし、このような駆動方式では、小さな電流を駆動する時、ＯＬＥＤの電流が安定化するまで非常に長い時間がかかるという問題点を有している。この問題は、パネルが大型化してピクセルを構成するラインの寄生抵抗及びキャパシタンスが大きくなるほど深刻で、大型パネルではこのような電流駆動方式を使用することがとても難しいことが知られている。
【０００９】
図１は、上述した電圧駆動及び電流駆動を併用した電流フィードバックＯＬＥＤ駆動回路の例を示している（特許文献１）。
この駆動回路の動作を簡単に説明すると次のようになる。
【００１０】
ピクセル回路には、ＯＬＥＤに直列に接続された駆動ＴＦＴ（Ｔ１）と、スイッチ用ＴＦＴ（Ｔ２〜Ｔ４）とが具備されている。
スキャン信号がハイになって特定ピクセルが選択されると、前記ＴＦＴ（Ｔ２）、（Ｔ３）がオンになり、その時、ＯＬＥＤ電流がプログラムされる。一つのピクセルが選択される時間は、パネルの大きさ及び１秒当たりのフレーム数によって決定される。
【００１１】
特定ピクセルのスキャン時間が終わると、スキャン信号は次のピクセルを選択して、ＴＦＴ（Ｔ２）、（Ｔ３）はオフになり、ＴＦＴ（Ｔ４）がオンなり、既にプログラムされたＯＬＥＤ電流が次のプログラム時間まで電源Ｖｓから流れる。
【００１２】
図１の駆動回路部分は、デジタルグラフィックデータを電流に変換する回路（未図示）を経て決定された基準電流Ｉｒｅｆと略同じ電流を流すＰＭＯＳトランジスターＰ１、Ｐ２で構成された電流ミラー、ＯＬＥＤに流れる電流と略同じ電流を流すＰＭＯＳトランジスターＰ３、Ｐ４で構成された電流ミラー、前記二つの電流を比べるＮＭＯＳトランジスターＮ１、Ｎ２で構成された電流比較器、該電流比較の結果を増幅する増幅器Ｎ３で構成されている。
【００１３】
スキャン信号がハイの時、すなわちプログラム時間の時、ＩＯＬＥＤ＜Ｉｒｅｆなら電流比較器の出力、すなわちトランジスターＮ２のドレイン電圧が低くなり、駆動回路の出力、すなわちトランジスターＮ３のドレイン電圧は増加してピクセル駆動ＴＦＴ（Ｔ１）のゲート電圧が上がってＯＬＥＤ電流が増加するように動作する。
【００１４】
一方、ＩＯＬＥＤ＞Ｉｒｅｆなら、駆動ＴＦＴ（Ｔ１）のゲート電圧が低くなるように動作してＯＬＥＤ電流が減少する。この回路は、このようなネガテイブフィードバック（負帰還）動作を通じてＩＯＬＥＤ＝Ｉｒｅｆになるように動作することを目的にする。
【特許文献１】米国特許第６４３３４８８号明細書
【発明の開示】
【発明が解決しようとする課題】
【００１５】
ところで、図１のＯＬＥＤ駆動回路では、駆動回路とピクセル回路を接続する線が二本存在する。すなわち、図１に示すようにデータラインとセンスラインの二つの線が存在する。この二つの線のために駆動ＩＣでは各カラム（チャンネル）に二つのパッドが必要になる。
【００１６】
現在、駆動ＩＣの価格を下げるために各カラムドライバ（駆動回路）の幅をパッドの幅よりさらに小くする傾向にあり、パッドの幅が実際の駆動回路の面積を決定する。
したがって、図１の回路のように一つのカラムドライバ（駆動回路）に二つのパッドを使う場合、駆動ＩＣの面積が増加して価格競争力を大きく低下させるという問題点がある。
【００１７】
本発明は、このような点を勘案したもので、その目的は、駆動ＩＣのパッド数をカラム毎に一つにすることのできる電流フィードバック型ＡＭＯＬＥＤ駆動回路を提供することにある。
【課題を解決するための手段】
【００１８】
上記目的を達成するために、本発明では、電流フィードバック型ＡＭＯＬＥＤ駆動回路は、駆動ＩＣと、該駆動ＩＣに接続された第１及び第２カラムとを備える。第１及び第２カラムの各々は、複数のピクセル回路と一つのデータラインとを含み、該複数のピクセル回路の各々は、前記データラインを通じてピクセル電流命令を受け取るデータ端子とピクセル電流を前記駆動ＩＣに伝達するセンス端子とを有する。前記第１カラムの各ピクセル回路のセンス端子は前記第２カラムのデータラインに接続され、前記第２カラムの各ピクセル回路のセンス端子は前記第１カラムのデータラインに接続される。前記第１カラムと前記第２カラムは時分割でプログラムされ、前記第１カラムを駆動する時には前記第２カラムのデータラインが前記第１カラムの電流フィードバックラインとして使用され、前記第２カラムを駆動する時には前記第１カラムのデータラインが前記第２カラムの電流フィードバックラインとして使用される。
【００１９】
前記第１及び第２カラムは、互いに隣接したカラムかまたは同一色相を具現するカラムである。
前記駆動ＩＣと第１及び第２カラムの各々のデータラインとの間にはさらにスイッチング部が具備される。スイッチング部は、プログラムされるカラムのデータラインが駆動ＩＣのデータ端子に接続され、電流フィードバックラインに使用されるデータラインが駆動ＩＣのセンス端子に接続されるように、前記第１及び第２カラムの各々のデータラインと前記駆動ＩＣとを接続する。
【発明の効果】
【００２０】
上記本発明によれば、駆動ＩＣのパッド数を各カラムに一つにすることができる。従って、電流フィードバック型ＡＭＯＬＥＤ駆動回路を小型に製造することができるとともに、その製造コストを低減することができる。同一色相のカラムを対にする場合、各色相に同一電流が用いられるので各色相の輝度特性を補正するための追加の補正回路は不要となる。その結果、駆動ＩＣの面積を一層減少することができるとともに、製造コストを一層低減することができる。更に、同じ色相の隣接カラムではデータ変化量が小さいので応答速度を向上することができる。従って、駆動回路を高速に駆動可能となる。
【発明を実施するための最良の形態】
【００２１】
以下、本発明の好ましい実施例を添付図面を参照してより詳細に説明する。但し、下記の実施例は本発明を例示するだけのものであって、本発明の内容が下記の実施例に限定されるものではない。
【００２２】
図２は、本発明による第一実施形態の電流フィードバック型ＡＭＯＬＥＤ駆動回路を示したものである。
図２に示すように、カラム駆動器１００は、データライン１０１を通じてピクセル回路１００ａ−１、１００ａ−２に接続され、データライン１０２を通じてピクセル回路１００ｂ−１、１００ｂ−２に接続されている。また、カラム駆動器２００は、データライン１０３を通じてピクセル回路２００ａ−１、２００ａ−２に接続され、データライン１０４を通じてピクセル回路２００ｂ−１、２００ｂ−２に接続されている。上記各ピクセル回路は、ピクセル電流命令を受けるデータ端子Ｄａｔａ及びピクセル電流を対応するカラム駆動器に伝達する出力端子であるセンス端子Ｓｅｎｓｅを有する。
【００２３】
ここで、奇数番目カラムを形成するピクセル回路１００ａ−１、１００ａ−２の各々はデータライン１０１を通じてカラム駆動器１００のデータ端子Ｄａｔａとセンス端子Ｓｅｎｓｅとに接続され、偶数番目カラムを形成するピクセル回路１００ｂ−１、１００ｂ−２の各々はデータライン１０２を通じて前記カラム駆動器１００のデータ端子Ｄａｔａとセンス端子Ｓｅｎｓｅとに接続されている。
【００２４】
また、カラム駆動器１００とデータライン１０１、１０２との間には、複数のスイッチＳＷ１１，ＳＷ１２，ＳＷ１３，ＳＷ１４で構成されたスイッチング部１００−１が具備されている。このスイッチング部１００−１により、奇数番目カラムを駆動する時は偶数番目カラムのデータライン１０２が奇数番目カラムのセンスラインとして使用され、偶数番目カラムを駆動する時には奇数番目カラムのデータライン１０１が偶数番目カラムのセンスラインとして使用されるようになっている。
【００２５】
同じく、前記カラム駆動器２００も奇数番目カラムを形成するピクセル回路２００ａ−１、２００ａ−２の各々がデータライン１０３を通じてカラム駆動器２００のデータ端子Ｄａｔａとセンス端子Ｓｅｎｓｅとに接続され、偶数番目カラムを形成するピクセル回路２００ｂ−１、２００ｂ−２の各々がデータライン１０４を通じてカラム駆動器２００のデータ端子Ｄａｔａとセンス端子Ｓｅｎｓｅとに接続されている。
【００２６】
また、カラム駆動器２００とデータライン１０３、１０４との間には、複数のスイッチＳＷ１１，ＳＷ１２，ＳＷ１３，ＳＷ１４からなるスイッチング部２００−１が設けられており、奇数番目カラムを駆動する時は偶数番目カラムのデータライン１０４を奇数番目カラムのセンスラインに使用し、偶数番目カラムを駆動する時には奇数番目カラムのデータライン１０３を偶数番目カラムのセンスラインに使用するように構成されている。
【００２７】
前記では二つのカラム駆動器１００、２００について説明したが、ｎ個のカラム駆動器に拡張可能であることは勿論であり、これはピクセル回路についても同様である。
このように構成した本発明を、図３の動作タイミング図と共に説明する。
【００２８】
前記カラム駆動器１００、２００は、グラフィックデータに該当するデジタルデータを入力に受けて、それに該当する電流値で、選択されたピクセルを駆動する電流フィードバック方式のＡＭＯＬＥＤ駆動回路である。各カラム駆動器１００，２００は、入力データに該当する電流命令をデータ端子Ｄａｔａを通じてピクセルに印加し、センス端子Ｓｅｎｓｅを通じてピクセルの電流量のフィードバックを受ける。そして、各カラム駆動器１００，２００は、ピクセル電流が入力電流値と等しくなるようにピクセル回路を駆動する。
【００２９】
前記奇数及び偶数番目カラムの各ピクセル回路１００ａ−１、１００ａ−２、１００ｂ−１、１００ｂ−２、２００ａ−１、２００ａ−２、２００ｂ−１、２００ｂ−２は、データ端子Ｄａｔａを通じてドライバ回路である前記カラム駆動器１００、２００から電流命令を受け、センス端子Ｓｅｎｓｅを通じて現在のピクセルの電流量をカラム駆動器１００、２００に送る。
【００３０】
そして、各ピクセル回路１００ａ−１、１００ａ−２、１００ｂ−１、１００ｂ−２、２００ａ−１、２００ａ−２、２００ｂ−１、２００ｂ−２のプログラム端子Ｐｒｏｇｒａｍに外部からハイレベルの電流プログラム制御信号が供給されると、前記カラム駆動器１００、２００を通じて所望する電流量がプログラムされ、ハイレベルの発光制御信号が発光端子Ｉｌｌｕｍｉｎａｔｉｏｎに供給されると、既にプログラムされた電流量を継続して流しながら一定の明るさの光を出す。なお、電源端子ＶＤＤから電流が流入すると、アース端子ＧＮＤに電流が抜け出るようになっている。
【００３１】
一方、行選択信号である行信号ＲＯＷｋがハイレベルになって、該当する行（ｋ番目行）に電流がプログラムされる場合、奇数番目カラムのピクセルを選択するための制御信号ＯＤＤがハイレベルなら奇数番目カラムのピクセルが選択され、偶数番目カラムのピクセルを選択するための制御信号ＥＶＥＮがハイレベルなら偶数番目カラムのピクセルが選択される。図２でプログラム端子Ｐｒｏｇｒａｍに供給されるＲＯＷｋ＊ＯＤＤの「＊」は、論理積（ＡＮＤ）を意味する。
【００３２】
ここで、カラム駆動器１００とデータライン１０１、１０２を通じて接続される奇数及び偶数番目カラムのピクセル回路１００ａ−１、１００ａ−２、１００ｂ−１、１００ｂ−２を例に動作を詳しく説明する。なお、カラム駆動器２００とデータライン１０３、１０４を通じて接続される奇数及び偶数番目カラムのピクセル回路２００ａ−１、２００ａ−２、２００ｂ−１、２００ｂ−２についても同様である。
【００３３】
＜行選択信号である行信号ＲＯＷ１がハイレベルの時＞
まず、奇数番目カラムのピクセルを選択するための制御信号ＯＤＤがハイレベルに設定されると、奇数番目データライン１０１は、スイッチング部１００−１のスイッチＳＷ１１を通じて奇数番目カラムのピクセル回路１００ａ−１のデータ端子Ｄａｔａ（データ入力）とカラム駆動器１００のデータ端子Ｄａｔａ（データ出力）とを接続する。
【００３４】
そして、偶数番目データライン１０２は、前記スイッチング部１００−１のスイッチＳＷ１２を通じて前記奇数番目カラムのピクセル回路１００ａ−１のセンス端子Ｓｅｎｓｅ（センス出力）とカラム駆動器１００のセンス端子Ｓｅｎｓｅ（センス入力）とを接続する。
【００３５】
続いて、偶数番目カラムのピクセルを選択するための制御信号ＥＶＥＮがハイレベルに設定されると、偶数番目データライン１０２は、スイッチング部１００−１のスイッチＳＷ１３を通じて偶数番目カラムのピクセル回路１００ｂ−１のデータ端子Ｄａｔａ（データ入力）とカラム駆動器１００のデータ端子Ｄａｔａ（データ出力）とを接続する。
【００３６】
そして、奇数番目データライン１０１は、前記スイッチング部１００−１のスイッチＳＷ１４を通じて偶数番目カラムのピクセル回路１００ｂ−１のセンス端子Ｓｅｎｓｅ（センス出力）とカラム駆動器１００のセンス端子Ｓｅｎｓｅ（センス入力）とを接続する。
【００３７】
前記過程は、行選択信号である行信号ＲＯＷ１がハイレベルの時、一番目の行に接続されているすべての奇数番目と偶数番目のピクセル対（例えば２００ａ−１と２００ｂ−１のピクセル対、等々）に同時に起きる。そして、行信号ＲＯＷ２がハイレベルになれば、二番目の行に接続されているすべての奇数番目と偶数番目のピクセル対でスイッチの切替え動作が繰り返される。
【００３８】
このように、隣接した二つのカラムが交互に他方のカラムのデータラインをピクセル電流をフィードバックさせるセンスラインに利用することで、駆動ＩＣ（カラム駆動器）に接続される１つのカラム当たりのパッド数を一つに維持しながら電流フィードバック型ＡＭＯＬＥＤ駆動回路を実現することが可能になる。
【００３９】
図４ａないし図４ｄは、前記図２のピクセル回路の多様な構成例を図示したものである。
図４ａでは、アース端子にカソードが接続されたＯＬＥＤのアノードに駆動トランジスタＴ１１のソースが接続され、前記駆動トランジスタＴ１１のゲート及びドレインには、プログラム端子Ｐｒｏｇｒａｍからの電流プログラム制御信号がハイレベルの時にオンになるスイッチング用Ｎ型トランジスタＴ１２、Ｔ１３のソースがそれぞれ接続され、前記トランジスタＴ１３のドレインがセンス端子Ｓｅｎｓｅに接続されている。
【００４０】
また、前記駆動トランジスタＴ１１のドレインには、前記プログラム端子Ｐｒｏｇｒａｍに入力される信号とは反対に動作する信号であって、発光端子Ｉｌｌｕｍｉｎａｔｉｏｎに入力される発光制御信号がハイレベルの時にオンになるスイッチング用Ｎ型トランジスタＴ１４のソースが接続されている。該トランジスタＴ１４は、ハイレベルの発光制御信号によりオンされるとき、電源端子ＶＤＤからの電流を流す。前記駆動トランジスタＴ１１のゲートとＯＬＥＤのカソードとの間には保持キャパシタＣＳが並列に接続されている。この図４ａの構造の動作を前記ピクセル回路１００ａ−１を例に説明する。
【００４１】
まず、前記プログラム端子Ｐｒｏｇｒａｍからの電流プログラム制御信号がハイレベルの時、駆動ＩＣすなわち、カラム駆動器１００のデータ出力がデータライン１０１を経てデータ端子Ｄａｔａから駆動トランジスタＴ１１のゲートに印加され、駆動トランジスタＴ１１のドレイン電流がデータライン１０２を通じてカラム駆動器１００のセンス入力に伝えられる。
【００４２】
電流プログラムが終わると、前記駆動トランジスタＴ１１のゲート電圧が保持キャパシタＣＳに保持され、ピクセル電流は電源端子ＶＤＤから供給される電流により、次のプログラム時まで一定に流れる。
【００４３】
図４ｂないし図４ｄは、図４ａと比べてＯＬＥＤの位置を変更させたもので、図４ｂではＯＬＥＤのカソードが駆動トランジスタＴ１１のドレインに接続されるとともに、アノードがトランジスタＴ１３、Ｔ１４のソースに接続されている。図４ｃではＯＬＥＤのカソードがトランジスタＴ１４のドレインに接続されるとともに、アノードが電源端子ＶＤＤに接続されている。図４ｄではＯＬＥＤのカソードが駆動トランジスタＴ１１のドレインとトランジスタＴ１３のソースに接続されるとともに、アノードがトランジスタＴ１４のソースに接続されている。これらの動作は前記図４ａから容易に理解可能なので詳細な説明は省略する。
【００４４】
図５は、本発明による電流フィードバックを利用した第二実施形態のＡＭＯＬＥＤ駆動回路である。この第二実施形態は、図２の実施例の発光端子Ｉｌｌｕｍｉｎａｔｉｏｎを省略したものである。
【００４５】
第二実施形態においても、前記図２の実施例と同様、奇数番目カラムのピクセルを選択するための制御信号（ＲＯＷ１＊ＯＤＤ）または（ＲＯＷ２＊ＯＤＤ）と偶数番目カラムのピクセルを選択するための制御信号（ＲＯＷ１＊ＥＶＥＮ）または（ＲＯＷ２＊ＥＶＥＮ）によって、該当する奇数番目カラムと偶数番目カラムのピクセル回路（１００ａ−１、１００ａ−２、１００ｂ−１、１００ｂ−２、２００ａ−１、２００ａ−２、２００ｂ−１、２００ｂ−２）が動作する。従って、その詳細な説明は省略する。
【００４６】
図６ａないし図６ｅは、図５のピクセル回路の多様な構成例を図示したものである。図６ａ〜図６ｅの構成では、図４に比べて発光制御信号が入力される発光端子Ｉｌｌｕｍｉｎａｔｉｏｎが省略されている。
【００４７】
図６ａでは、アース端子にカソードが接続されたＯＬＥＤのアノードに駆動トランジスタＴ１１のソースが接続され、前記駆動トランジスタＴ１１のゲート及びドレインには、プログラム端子Ｐｒｏｇｒａｍからの電流プログラム制御信号がハイレベルの時にオンになるスイッチング用Ｎ型トランジスタＴ１２、Ｔ１３のソースがそれぞれ接続され、前記トランジスタＴ１３のドレインがセンス端子Ｓｅｎｓｅに接続されている。
【００４８】
また、電源端子ＶＤＤにはスイッチング用Ｐ型トランジスタＴ１４のソースが接続されている。トランジスタＴ１４のドレインは、前記駆動トランジスタＴ１１のドレイン及びトランジスタＴ１３のソースに接続され、トランジスタＴ１４のゲートには前記プログラム端子Ｐｒｏｇｒａｍから電流プログラム制御信号が入力される。従って、トランジスタＴ１４は電流プログラム制御信号がローレベルである時にオンされる。前記駆動トランジスタＴ１１のゲートとＯＬＥＤのカソードとの間には保持キャパシタＣＳが並列に接続されている。
【００４９】
図６ａでは、前記図４ａと比べてトランジスタＴ１４のゲートがプログラム端子Ｐｒｏｇｒａｍに接続されることにより、プログラム端子Ｐｒｏｇｒａｍからの電流プログラム制御信号によって動作する点だけが相異している。すなわち、前記トランジスタＴ１４がＰ型トランジスタであることにより、該トランジスタＴ１４は前記トランジスタＴ１２、Ｔ１３がオンの時にオフになり、前記トランジスタＴ１２、Ｔ１３がオフの時にオンになる。従って、図４ａと同様に、ピクセル電流が電源端子ＶＤＤから次のプログラム時まで一定に流れるようになる。
【００５０】
また、図６ｂないし図６ｄは、図６ａに比べてＯＬＥＤの位置を変更させたもので、図６ｂではＯＬＥＤのカソードが駆動トランジスタＴ１１のドレインに接続されるとともに、アノードがトランジスタＴ１４のドレイン及びトランジスタＴ１３のソースに接続されている。図６ｃではＯＬＥＤのカソードがトランジスタＴ１４のソースに接続されるとともに、アノードが電源端子ＶＤＤに接続されている。図６ｄではＯＬＥＤのカソードが駆動トランジスタＴ１１のドレインとトランジスタＴ１３のソースに接続されるとともに、アノードがトランジスタＴ１４のドレインに接続されている。これらの動作は前記図６ａから容易に理解可能なので詳細な説明は省略する。
【００５１】
図６ｅは前記図６ａないし図６ｄと比べてトランジスタＴ１４を含まない場合で、前記図６ｃ及び図６ｄでトランジスタＴ１４を具備せず、駆動トランジスタＴ１１のドレインとトランジスタＴ１３のソースにＯＬＥＤのカソードが直接接続され、ＯＬＥＤのアノードが電源端子ＶＤＤに接続された構造である。
【００５２】
図６ｅではピクセル電流をプログラムする間、カラム駆動器のセンス端子Ｓｅｎｓｅから出力される電圧がＯＬＥＤのカソード電圧になるため、この電圧を適切に調節してプログラムする間にＯＬＥＤが発光しないようにする。このようにすると、ＴＦＴスィッチを一つ減らすことができるのでＯＬＥＤディスプレイの開口率（即ちアスペクト比）を高めることができる。
【００５３】
図７は、本発明による電流フィードバックを利用した第三実施形態のＡＭＯＬＥＤ駆動回路である。この第三実施形態は、図２の実施例に比べて同一色相のピクセルを対にして構成した実施例である。
【００５４】
図示したように、レッド（Ｒｅｄ）の色相を具現するピクセル回路Ｒｅｄ−ａ１、Ｒｅｄ−ａ２とピクセル回路Ｒｅｄ−ｂ１、Ｒｅｄ−ｂ２とによって形成される二つのレッド色相カラムをそれぞれ一つずつのデータライン２０１，２０４を通じて一つのレッドカラム駆動器１００Ｒに接続する。同様にグリーン（Ｇｒｅｅｎ）の色相を具現するピクセル回路Ｇｒｅｅｎ−ａ１、Ｇｒｅｅｎ−ａ２とピクセル回路Ｇｒｅｅｎ−ｂ１、Ｇｒｅｅｎ−ｂ２とによって形成される二つのグリーン色相カラムをそれぞれ一つずつのデータライン２０２，２０５を通じて一つのグリーンカラム駆動器２００Ｇに接続し、ブルー（Ｂｌｕｅ）の色相を具現するピクセル回路Ｂｌｕｅ−ａ１、Ｂｌｕｅ−ａ２とピクセル回路Ｂｌｕｅ−ｂ１、Ｂｌｕｅ−ｂ２とによって形成される二つのブルー色相カラムをそれぞれ一つずつのデータライン２０３，２０６を通じて一つのブルーカラム駆動器３００Ｂに接続する。
【００５５】
また、前記二つのレッドカラム中で一方のレッドカラムを形成するピクセル回路Ｒｅｄ−ａ１、Ｒｅｄ−ａ２が接続されるデータライン２０１と他方のレッドカラムを形成するピクセル回路Ｒｅｄ−ｂ１、Ｒｅｄ−ｂ２が接続されるデータライン２０４は、前記実施例と同様にスイッチＳＷ１１，ＳＷ１２，ＳＷ１３，ＳＷ１４からなるスイッチング部１００Ｒ−１のスイッチングを通じてレッドカラム駆動器１００Ｒに接続されている。そして、プログラムされるカラムのデータラインが駆動器１００Ｒのデータ端子Ｄａｔａに接続され、フィードバックラインに使用するデータラインが駆動器１００Ｒのセンス端子Ｓｅｎｓｅに接続される。即ち、対になったデータラインは、その役割に応じて交互にカラム駆動器に接続される。これはグリーン及びブルーの色相についても同様である。
【００５６】
このような実施例での動作は、前記図２の実施例と同じなので詳細な説明は省略する。そして、図７の実施例には前記図４のピクセル回路を利用することができる。
図８は、本発明の第四実施形態で、図７の実施例と同じく同一色相のピクセルを対にして構成した実施例である。図５の実施例と同じく発光制御信号が入力される発光端子Ｉｌｌｕｍｉｎａｔｉｏｎが省略されている場合で、これに対する動作は図７及び図５の実施例から容易に理解可能なので詳細な説明は省略する。そして、図８の実施例には前記図６のピクセル回路を利用することができる。
【００５７】
前記図７及び図８のように同一色相のカラムを対にする場合、各色相毎に同一電流による輝度特性が異なることに起因してそれを補正するための追加の補正回路が不要となる。従って、駆動ＩＣの面積を低減し、製造コストを下げることが可能になる。更には、同じ色相の隣接カラムではデータ変化量が小さいので高速駆動が可能である。
【００５８】
上述したように、本発明の好ましい実施例を参照して説明したが、当業者は、特許請求の範囲に記載された本発明の思想及び領域から逸脱しない範囲内で本発明を多様に修正または変形して実施することができる。
【産業上の利用可能性】
【００５９】
以上で詳しく見たように、本発明は電流フィードバックを利用したＡＭＯＬＥＤ駆動回路において、各カラム毎に一つのデータラインを具備して、二つの隣接したカラム同士を対にして奇数番目カラムと偶数番目カラムを時間的に区分して駆動する。奇数番目カラムを駆動する時には偶数番目カラムのデータラインを奇数番目カラムのスキャンラインに使用し、偶数番目カラムを駆動する時には奇数番目カラムのデータラインを偶数番目カラムのスキャンラインに使用することで駆動ＩＣのＰＡＤ数を各カラム毎に一つに制限して駆動ＩＣの価格競争力を高めることができる。
【００６０】
また、同一色相のカラムを対にする場合、各色相毎に同一電流による輝度特性が異なるので追加の補正回路が必要ではなく、駆動ＩＣの面積減少及び製造原価を下げることができるようになり、同じ色相の隣接カラムではデータ変化量が小さいので高速駆動を可能にする長所がある。
【図面の簡単な説明】
【００６１】
【図１】従来の電流フィードバック型ＡＭＯＬＥＤ駆動回路を示した回路図である。
【図２】本発明の第一実施形態による電流フィードバック型ＡＭＯＬＥＤ駆動回路を示した回路図である。
【図３】本発明の第一実施形態によるＡＭＯＬＥＤ駆動回路のタイミング図である。
【図４ａ】図２の駆動回路に使用されるピクセル回路の一実施例の回路図である。
【図４ｂ】図２の駆動回路に使用されるピクセル回路の一実施例の回路図である。
【図４ｃ】図２の駆動回路に使用されるピクセル回路の一実施例の回路図である。
【図４ｄ】図２の駆動回路に使用されるピクセル回路の一実施例の回路図である。
【図５】本発明の第二実施形態による電流フィードバック型ＡＭＯＬＥＤ駆動回路を示す回路図である。
【図６ａ】図５の駆動回路に使用されるピクセル回路の一実施例の回路図である。
【図６ｂ】図５の駆動回路に使用されるピクセル回路の一実施例の回路図である。
【図６ｃ】図５の駆動回路に使用されるピクセル回路の一実施例の回路図である。
【図６ｄ】図５の駆動回路に使用されるピクセル回路の一実施例の回路図である。
【図６ｅ】図５の駆動回路に使用されるピクセル回路の一実施例の回路図である。
【図７】本発明の第三実施形態による電流フィードバック型ＡＭＯＬＥＤ駆動回路を示す回路図である。
【図８】本発明の第四実施形態による電流フィードバック型ＡＭＯＬＥＤ駆動回路を示す回路図である。
【符号の説明】
【００６２】
１００、２００、１００Ｒ、２００Ｇ、３００Ｂ：カラム駆動器（駆動ＩＣ）
１０１〜１０４、２０１〜２０６：データライン
１００−１、２００−１、１００Ｒ−１、２００Ｇ−１、３００Ｂ−１：スイッチング部
１００ａ−１、１００ａ−２、１００ｂ−１、１００ｂ−２、２００ａ−１、２００ａ−２、２００ｂ−１、２００ｂ−２：ピクセル回路
Ｄａｔａ：データ端子
Ｓｅｎｓｅ：センス端子
Ｐｒｏｇｒａｍ：プログラム端子
Ｉｌｌｕｍｉｎａｔｉｏｎ：発光端子
【図１】
2007156478.tif 000003
【図２】
2007156478.tif 000004
【図３】
2007156478.tif 000005
【図４ａ】
2007156478.tif 000006
【図４ｂ】
2007156478.tif 000007
【図４ｃ】
2007156478.tif 000008
【図４ｄ】
2007156478.tif 000009
【図５】
2007156478.tif 000010
【図６ａ】
2007156478.tif 000011
【図６ｂ】
2007156478.tif 000012
【図６ｃ】
2007156478.tif 000013
【図６ｄ】
2007156478.tif 000014
【図６ｅ】
2007156478.tif 000015
【図７】
2007156478.tif 000016
【図８】
2007156478.tif 000017